(57)【要約】【課題】直列タンデムの画像形成システムにおいて、高湿時の上流機における像担持体と用紙の分離不良と、低湿時の下流機における放電による画像ノイズや信号ノイズを低減することである。【解決手段】直列タンデムの画像形成システムの上流機２０の転写ベルト５１の電気抵抗は、同一環境温湿度下における下流機３０の転写ベルト１５１の電気抵抗より高く、上流機２０の転写ニップ長は、下流機３０の転写ニップ長より小さい。【選択図】図１
2019152764.tif 000002
【特許請求の範囲】
【請求項１】
像担持体と、
転写ベルト、転写部材、及び前記転写部材に転写電圧を印加する電圧印加部を備え、ベルト転写方式により前記像担持体に形成されたトナー像を用紙に転写する転写部と、
前記転写部により転写されたトナー像を前記用紙に定着させる定着部と、
を備える複数の画像形成装置が用紙搬送方向に沿って直列に接続された画像形成システムであって、
前記複数の画像形成装置のうち前記用紙搬送方向の上流側の画像形成装置の前記転写ベルトの電気抵抗は、同一環境温湿度下における前記用紙搬送方向の下流側の画像形成装置の前記転写ベルトの電気抵抗より高いことを特徴とする画像形成システム。
【請求項２】
前記上流側の画像形成装置の前記転写ベルトの体積抵抗率から前記下流側の画像形成装置の前記転写ベルトの体積抵抗率を引いた差分は、１．０ｌｏｇΩ・ｃｍ以上２．０ｌｏｇΩ・ｃｍ以下であることを特徴とする請求項１に記載の画像形成システム。
【請求項３】
前記上流側の画像形成装置の前記転写部における転写ニップ長は、前記下流側の画像形成装置の前記転写部における転写ニップ長より小さいことを特徴とする請求項１又は２に記載の画像形成システム。
【請求項４】
前記上流側の画像形成装置の前記転写ニップ長は、前記下流側の画像形成装置の前記転写ニップ長の０．８倍以下であることを特徴とする請求項３に記載の画像形成システム。
【請求項５】
前記上流側の画像形成装置の前記転写部における転写荷重は、前記下流側の画像形成装置の前記転写部における転写荷重の０．８倍以下であることを特徴とする請求項３又は４に記載の画像形成システム。
【請求項６】
前記上流側の画像形成装置は、
前記用紙の先端が転写ニップ部を通過する際に、前記用紙にトナー像を転写するときに印加する転写電圧と逆極性の電圧を印加するように前記電圧印加部を制御する制御部を備え、
前記下流側の画像形成装置は、
前記用紙の先端が転写ニップ部を通過する際に、前記用紙にトナー像を転写するときに印加する転写電圧と同極性の電圧を印加するように前記電圧印加部を制御する制御部を備えることを特徴とする請求項１〜５のいずれか一項に記載の画像形成システム。
【請求項７】
前記上流側の画像形成装置の制御部と前記下流側の画像形成装置の制御部は、少なくとも前記用紙の坪量が所定の閾値を下回る場合に、環境温湿度条件にかかわらず前記制御を行うことを特徴とする請求項６に記載の画像形成システム。
【発明の詳細な説明】
【技術分野】
【０００１】
本発明は、画像形成システムに関する。
【背景技術】
【０００２】
従来、用紙に画像を形成する複数の画像形成装置を用紙搬送方向に直列に配置し、上流側の画像形成装置（以下、上流機という。）で用紙の一方の面に画像を形成し、下流側の画像形成装置（以下、下流機という。）で他方の面に画像を形成することで両面印刷を実現し、生産性を向上させるようにした直列タンデムの画像形成システムが知られている（例えば、特許文献１、２参照）。
【先行技術文献】
【特許文献】
【０００３】
【特許文献１】特開２０１１−２０１０８２号公報
【特許文献２】特開２０１２−１０８２７３号公報
【発明の概要】
【発明が解決しようとする課題】
【０００４】
ところで、図３（ａ）に示すように、ベルト転写方式の直列タンデムの画像形成システムでは、上流機は定着器を通過していない用紙Ｐを通紙するため、高湿時、用紙Ｐや転写ベルト６５１の吸湿により転写部（転写ベルト６５１、転写ローラー６５２）の電気抵抗が低下して、転写電界が転写ベルト６５１の面方向に拡散する。そのため、転写ベルト６５１と用紙Ｐの吸着力が低下し、像担持体である感光体ドラム６１に用紙Ｐが巻き付いて感光体ドラム６１と用紙Ｐの分離不良が発生してしまう。一方、図３（ｂ）に示すように、下流機では、一度定着器を通過した後の用紙Ｐを通紙するため、用紙Ｐや転写部（転写ベルト７５１、転写ローラー７５２）が除湿されて電気抵抗が上がり、転写電界がニップ部近傍に集中して低湿時に放電による画像ノイズや機内のセンサー等の信号ノイズが発生してしまう。
【０００５】
本発明の課題は、直列タンデムの画像形成システムにおいて、高湿時の上流機における像担持体と用紙の分離不良と、低湿時の下流機における放電による画像ノイズや信号ノイズを低減することである。
【課題を解決するための手段】
【０００６】
上記課題を解決するため、請求項１に記載の発明は、
像担持体と、
転写ベルト、転写部材、及び前記転写部材に転写電圧を印加する電圧印加部を備え、ベルト転写方式により前記像担持体に形成されたトナー像を用紙に転写する転写部と、
前記転写部により転写されたトナー像を前記用紙に定着させる定着部と、
を備える複数の画像形成装置が用紙搬送方向に沿って直列に接続された画像形成システムであって、
前記複数の画像形成装置のうち前記用紙搬送方向の上流側の画像形成装置の前記転写ベルトの電気抵抗は、同一環境温湿度下における前記用紙搬送方向の下流側の画像形成装置の前記転写ベルトの電気抵抗より高いことを特徴とする。
【０００７】
請求項２に記載の発明は、請求項１に記載の発明において、
前記上流側の画像形成装置の前記転写ベルトの体積抵抗率から前記下流側の画像形成装置の前記転写ベルトの体積抵抗率を引いた差分は、１．０ｌｏｇΩ・ｃｍ以上２．０ｌｏｇΩ・ｃｍ以下であることを特徴とする。
【０００８】
請求項３に記載の発明は、請求項１又は２に記載の発明において、
前記上流側の画像形成装置の前記転写部における転写ニップ長は、前記下流側の画像形成装置の前記転写部における転写ニップ長より小さいことを特徴とする。
【０００９】
請求項４に記載の発明は、請求項３に記載の発明において、
前記上流側の画像形成装置の前記転写ニップ長は、前記下流側の画像形成装置の前記転写ニップ長の０．８倍以下であることを特徴とする。
【００１０】
請求項５に記載の発明は、請求項３又は４に記載の発明において、
前記上流側の画像形成装置の前記転写部における転写荷重は、前記下流側の画像形成装置の前記転写部における転写荷重の０．８倍以下であることを特徴とする。
【００１１】
請求項６に記載の発明は、請求項１〜５のいずれか一項に記載の発明において、
前記上流側の画像形成装置は、
前記用紙の先端が転写ニップ部を通過する際に、前記用紙にトナー像を転写するときに印加する転写電圧と逆極性の電圧を印加するように前記電圧印加部を制御する制御部を備え、
前記下流側の画像形成装置は、
前記用紙の先端が転写ニップ部を通過する際に、前記用紙にトナー像を転写するときに印加する転写電圧と同極性の電圧を印加するように前記電圧印加部を制御する制御部を備えることを特徴とする。
【００１２】
請求項７に記載の発明は、請求項６に記載の発明において、
前記上流側の画像形成装置の制御部と前記下流側の画像形成装置の制御部は、少なくとも前記用紙の坪量が所定の閾値を下回る場合に、環境温湿度条件にかかわらず前記制御を行うことを特徴とする。
【発明の効果】
【００１３】
本発明によれば、直列タンデムの画像形成システムにおいて、高湿時の上流機における像担持体と用紙の分離不良と、低湿時の下流機における放電による画像ノイズや信号ノイズを低減することができる。
【図面の簡単な説明】
【００１４】
【図１】本発明の実施形態における画像形成システムの全体構成例を示す図である。
【図２】図１の上流機及び下流機の機能的構成を示すブロック図である。
【図３】（ａ）は、従来の画像形成システムにおける上流機の転写電界の拡散を模式的に示す図、（ｂ）は、従来の画像形成システムにおける下流機の転写電界の集中を模式的に示す図である。
【図４】上流機の制御部により実行される転写電圧制御処理を示すフローチャートである。
【図５】下流機の制御部により実行される転写電圧制御処理を示すフローチャートである。
【図６】転写電圧制御処理により上流機と下流機の転写ローラーに印加される電圧の時間変化を示す図である。
【発明を実施するための形態】
【００１５】
以下、本実施形態を図面に基づいて詳細に説明する。ただし、発明の範囲は図示例に限定されない。
【００１６】
〔画像形成システム１００の構成〕
図１は、本実施形態における画像形成システム１００の全体構成例を示す図である。
図１に示すように、画像形成システム１００は、用紙搬送方向に沿って、給紙ユニット１０、上流機（上流側の画像形成装置）２０、下流機（下流側の画像形成装置）３０、ＦＮＳ（後処理ユニット）４０が直列に接続されたタンデム構成となっている。上流機２０及び下流機３０は接続され、それぞれの画像形成装置が用紙の片面に画像形成を行うことにより、高速に両面印刷を行うことが可能となっている。
【００１７】
なお、画像形成システム１００は、給紙ユニット１０、ＦＮＳ４０を含まない構成であってもよい。また、本実施形態では、上流機２０、下流機３０を、モノクロ画像を形成する画像形成装置として説明するが、これに限定されるものではなく、Ｃ（シアン）Ｍ（マゼンタ）Ｙ（イエロー）Ｋ（ブラック）の４色によるカラー画像を形成する画像形成装置としてもよい。
【００１８】
給紙ユニット１０は、ＰＦＵ（Paper Feed Unit）と称されるものであり、複数の給紙トレイや、給紙ローラー、分離ローラー、給紙／分離ゴム、送り出しローラー等からなる給紙手段等を備える。各給紙トレイには、用紙の種類（紙種、坪量、用紙サイズ等）毎に用紙が格納されており、用紙の最上部から一枚ずつ給紙手段により上流機２０へ用紙が搬送される。
【００１９】
上流機２０は、外部装置等から受信したＰＤＬ（Page Description Language）形式やＴｉｆｆ形式等のページ記述言語形式のプリントデータ及びプリント設定データ（プリントジョブ）に基づいて用紙に画像を形成し、画像形成済みの用紙を下流機３０に搬送する。なお、上流機２０は、スキャナーを備える構成とし、スキャナーにより原稿から読み取った画像データに基づいて用紙に画像を形成することとしてもよい。
下流機３０は、上流機２０から搬送された用紙に画像を形成する。
【００２０】
ＦＮＳ４０は、ソート部、ステイプル部、パンチ部、折り部等の各種後処理部と、排紙トレイ等を備え、下流機３０から搬送された用紙に対して各種後処理を施し、後処理が施された用紙を排紙トレイに排出する。
【００２１】
図２は、上流機２０及び下流機３０の機能的構成を示すブロック図である。
上流機２０は、制御部２１、画像処理部２２、用紙搬送部２３、画像形成部２４、定着部２５、記憶部２６、Ｉ／Ｆ２７、操作表示部２８、通信部２９等を備えて構成され、各部はバス２０１により接続されている。
【００２２】
制御部２１は、ＣＰＵ（Central Processing Unit）、ＲＡＭ（Random Access Memory）、ＲＯＭ（Read Only Memory）等により構成されている。制御部２１のＣＰＵは、ＲＯＭに記憶されているシステムプログラムや各種処理プログラムを読み出してＲＡＭ内に展開し、展開されたプログラムに従って各種処理を実行し、上流機２０の各部や画像形成システム１００全体の動作を統括制御する。
【００２３】
例えば、制御部２１は、外部装置からプリントジョブを受信すると、ジョブを開始し、プリント設定データに基づいて、上流機２０で印刷するページ及び下流機３０で印刷するページを特定し、プリント設定データ及び下流機３０で印刷するページ番号等をＩ／Ｆ２７により下流機３０に送信してジョブ開始を通知するとともに、画像処理部２２によりプリントジョブのプリントデータにラスタライズ処理を施させ、得られた画像データをＩ／Ｆ２７により下流機３０に送信する。また、画像処理部２２により画像データに画像処理を行わせ、画像処理済みの画像データに基づいて用紙搬送部２３、画像形成部２４、定着部２５を制御して用紙に画像を形成させ、画像形成及び定着済みの用紙を下流機３０に送出する。
【００２４】
また、制御部２１は、ジョブ実行中に後述する転写電圧制御処理（図４参照）を実行し、転写ローラー５２に印加する転写電圧を制御する。
【００２５】
画像処理部２２は、通信部２９を介して外部装置から送信されたプリントデータにラスタライズ処理を施して画像データを生成し、画像データに色変換処理、階調補正処理、ハーフトーン処理等の各種画像処理を施す。
【００２６】
用紙搬送部２３は、レジストローラー２３１をはじめとする複数の搬送ローラーや搬送ベルト等を含んで構成され、給紙ユニット１０から搬送されてきた用紙を画像形成部２４に搬送するとともに、画像形成部２４で画像が形成された用紙を定着部２５に搬送する。また、定着部２５において画像が定着された用紙を反転部２３２により反転させて下流機３０に送出する。用紙の搬送経路上には、例えば、レジストセンサー、ジャム検知センサー、濃度検知センサー等の各種センサー（図示せず）が備えられている。各センサーは、制御部２１に接続されており、検知信号を制御部２１に出力する。
【００２７】
画像形成部２４は、像担持体としての感光体ドラム１、帯電部２、露光部（レーザ光源、ポリゴンミラー）３、現像部４、転写部５、クリーナー６等を備えて構成されている。画像形成部２４は、帯電部２によって一様帯電されて回転している感光体ドラム１の表面に露光部３により露光して、感光体ドラム１の面上に画像データに対応した静電潜像を形成し、静電潜像を現像部４により反転現像して、黒色のトナー像を感光体ドラム１上に形成する。そして、画像形成部２４は、レジストローラー２３１によって、給送された用紙と感光体ドラム１上に形成されたトナー像との位置合わせのための同期を取って転写部５に送出し、感光体ドラム１の表面に形成されたトナー像を、転写部５によりトナーと反対極性に帯電された用紙に転写する。これにより、用紙に画像が形成される。感光体ドラム１に残留したトナーは、クリーナー６により除去される。
【００２８】
転写部５は、転写ベルト５１、転写ローラー（転写部材）５２を備える。転写ベルト５１には、例えば、導電剤が含有されたクロロプレーンゴム等により構成される基材の表面に、コート層としてＰＴＦＥ（ポリテトラフルオロエチレン）を施したものが用いられる。
【００２９】
転写ベルト５１は、従動ローラー、駆動ローラーおよび他のローラーに張架された無端ベルトであり、これらのローラーの回転に従って回転する。転写ベルト５１は、感光体ドラム１の下方で、転写ベルト５１の表面が感光体ドラム１の外周面の一部と接触するように配置されている。すなわち、転写ベルト５１と感光体ドラム１との間において、転写領域としてのニップ部（転写ニップ部）ＮＰが形成される。用紙は、ニップ部ＮＰにおいて転写ベルト５１により感光体ドラム１に押圧されながら搬送される。感光体ドラム１の外周面の一部と接触する転写ベルト５１の内側には、転写ローラー５２が配置されている。転写ローラー５２は、転写ベルト５１に所定の圧力を加えながら回転することで、ニップ部ＮＰに所定の転写荷重を付加する。転写ローラー５２には、転写ローラー５２に転写電圧を印加する電源としての電圧印加部５３が接続されている。制御部２１は、転写時に一定の転写電流が電圧印加部５３から転写ローラー５２に流れるように、電圧印加部５３を制御する。転写ローラー５２にトナーの帯電極性と逆極性の転写電圧（転写バイアス）が印加されることによって、静電引力により、感光体ドラム１に接触中の用紙に感光体ドラム１上のトナー像が転写される。本実施形態では、トナーの帯電極性は負であり、用紙にトナー像を転写する転写時には転写ローラー５２に正の転写電圧が印加されるものとする。
【００３０】
定着部２５は、トナー像が転写された用紙を加熱及び加圧してトナーを用紙に定着させる定着処理を行う。
【００３１】
記憶部２６は、ＤＲＡＭ（Dynamic Random Access Memory）等で構成され、通信部２９を介して入力されたプリントジョブや画像処理済みの画像データ等が記憶される。なお、これらの画像データ等は制御部２１のＲＡＭに記憶されても良い。
【００３２】
Ｉ／Ｆ２７は、給紙ユニット１０に接続するための通信インターフェース、下流機３０に接続するための通信インターフェースを有する。
【００３３】
操作表示部２８は、ＬＣＤ（Liquid Crystal Display）等により構成され、制御部２１から入力される表示信号の指示に従って表示画面上に各種操作ボタンや装置の状態表示、各機能の動作状況等の表示を行う。ＬＣＤの表示画面上は、透明電極を格子状に配置して構成された感圧式（抵抗膜圧式）のタッチパネルに覆われており、手指やタッチペン等で押下された力点のＸＹ座標を電圧値で検出し、検出された位置信号を操作信号として制御部２１に出力する。
【００３４】
通信部２９は、モデム、ＬＡＮアダプターやルーター等によって構成され、ＬＡＮ（Local Area Network）、ＷＡＮ（Wide Area Network）等の通信ネットワークに接続されたＰＣ（Personal Computer）等の外部装置との通信制御を行い、プリントジョブの受信等を行う。
【００３５】
下流機３０は、制御部３１、画像処理部３２、用紙搬送部３３、画像形成部３４、定着部３５、記憶部３６、Ｉ／Ｆ３７等を備えて構成され、各部はバス３８により接続されている。
【００３６】
制御部３１は、ＣＰＵ（Central Processing Unit）、ＲＡＭ（Random Access Memory）、ＲＯＭ（Read Only Memory）等により構成されている。制御部３１のＣＰＵは、ＲＯＭに記憶されているシステムプログラムや各種処理プログラムを読み出してＲＡＭ内に展開し、展開されたプログラムに従って各種処理を実行し、下流機３０の各部の動作を統括制御する。
【００３７】
例えば、制御部３１は、上流機２０からジョブ開始の通知を受信すると、ジョブを開始し、ＦＮＳ４０に後処理の指示情報を送信するとともに、上流機２０から受信した画像データに画像処理部３２により画像処理を行わせる。そして、用紙搬送部２３、画像形成部３４、定着部３５を制御して画像処理済みの画像データに基づいて、用紙に画像を形成させ、画像形成及び定着済みの用紙をＦＮＳ４０に送出する。
【００３８】
また、制御部３１は、ジョブ実行中に後述する転写電圧制御処理（図５参照）を実行し、転写ローラー１５２に印加する転写電圧を制御する。
【００３９】
画像処理部３２は、上流機２０から送信された画像データに色変換処理、階調補正処理、ハーフトーン処理等の各種画像処理を施して記憶部３６に記憶させる。
【００４０】
用紙搬送部３３は、レジストローラー３３１をはじめとする複数の搬送ローラーや搬送ベルト等を含んで構成され、上流機２０から搬送されてきた用紙を画像形成部３４に搬送するとともに、画像形成部３４で画像が形成された用紙を定着部３５に搬送する。また、定着部３５において画像が定着された用紙を反転部３３２により反転させてＦＮＳ４０に送出する。用紙の搬送経路上には、例えば、レジストセンサー、ジャム検知センサー、濃度検知センサー等の各種センサー（図示せず）が備えられている。各センサーは、制御部３１に接続されており、検知信号を制御部３１に出力する。
【００４１】
画像形成部３４は、像担持体としての感光体ドラム１１、帯電部１２、露光部（レーザ光源、ポリゴンミラー）１３、現像部１４、転写部１５、クリーナー１６等を備えて構成されている。画像形成部３４の各部における画像形成の流れは、画像形成部２４について説明したものと同様であるので説明を援用する。
【００４２】
転写部１５は、転写ベルト１５１、転写ローラー（転写部材）１５２を備える。転写ベルト１５１には、例えば、導電剤が含有されたクロロプレーンゴム等により構成される基材の表面に、コート層としてＰＴＦＥ（ポリテトラフルオロエチレン）を施したものが用いられる。
【００４３】
転写ベルト１５１は、従動ローラー、駆動ローラーおよび他のローラーに張架された無端ベルトであり、これらのローラーの回転に従って回転する。転写ベルト１５１は、感光体ドラム１１の下方で、転写ベルト１５１の表面が感光体ドラム１１の外周面の一部と接触するように配置されている。すなわち、転写ベルト１５１と感光体ドラム１１との間において、転写領域としてのニップ部（転写ニップ部）ＮＰが形成される。用紙は、ニップ部ＮＰにおいて転写ベルト１５１により感光体ドラム１１に押圧されながら搬送される。感光体ドラム１１の外周面の一部と接触する転写ベルト１５１の内側には、転写ローラー１５２が配置されている。転写ローラー１５２は、転写ベルト１５１に所定の圧力を加えながら回転することで、ニップ部ＮＰに所定の転写荷重を付加する。転写ローラー１５２には、転写ローラー１５２に転写電圧を印加する電源としての電圧印加部１５３が接続されている。制御部３１は、転写時に一定の転写電流が電圧印加部１５３から転写ローラー１５２に流れるように、電圧印加部１５３を制御する。転写ローラー１５２にトナーの帯電極性と逆極性の転写電圧（転写バイアス）が印加されることによって、静電引力により、感光体ドラム１１に接触中の用紙に感光体ドラム１１上のトナー像が転写される。本実施形態では、トナーの帯電極性は負であり、用紙にトナー像を転写する転写時には転写ローラー１５２に正の転写電圧が印加されるものとする。
【００４４】
定着部３５は、トナー像が転写された用紙を加熱及び加圧してトナーを用紙に定着させる定着処理を行う。
【００４５】
記憶部３６は、ＤＲＡＭ（Dynamic Random Access Memory）等で構成され、Ｉ／Ｆ３７を介して上流機２０から入力されたプリントジョブや画像処理済みの画像データ等が記憶される。
【００４６】
Ｉ／Ｆ３７は、上流機２０に接続するためのインターフェース、ＦＮＳ４０に接続するためのインターフェースを有する。
【００４７】
〔上流機２０と下流機３０との転写部の構成の差異〕
一般的に、直列タンデムの画像形成システムでは、上流機は定着部を通過していない紙を通紙するため、図３（ａ）に矢印で示すように、高湿時、用紙Ｐや転写ベルト６５１の吸湿により転写部（転写ベルト６５１、転写ローラー６５２）の電気抵抗（以下、抵抗とする。）が低下して転写電界が転写ベルト６５１の面方向に拡散し、転写ベルト６５１と用紙Ｐの吸着力が低下し、感光体ドラム６１に用紙Ｐが巻き付いて感光体ドラム６１と用紙の分離不良が発生してしまう。
【００４８】
一方、下流機では、上流機の定着部を通過した後の用紙を通紙するため、図３（ｂ）に矢印で示すように、用紙や転写部（転写ベルト７５１、転写ローラー７５２）が除湿されて抵抗が上がり、転写電界がニップ近傍に集中して低湿時に放電による画像ノイズや機内のセンサー（例えば、レジストセンサー、ジャム検知センサー、濃度検知センサー等）の信号ノイズが発生してしまう。
【００４９】
上流機で発生する上記問題を解決するには、転写電界をニップ部近傍に集中させることが必要で、これを実現するには、（１）転写ベルトを高抵抗とすること、（２）転写ニップ長（ニップ部の用紙搬送方向の長さ）を小さくすること、が必要であると考えられる。
一方、下流機で発生する上記問題を解決するには、転写電界をニップ部近傍に集中させないようにして転写部の電位上昇を抑えることが必要で、これを実現するには、（１）転写ベルトを低抵抗とすること、（２）転写ニップ長を大きくすること、が必要であると考えられる。
すなわち、上流機と下流機とで転写部の構成を同じにしたのでは、上流機と下流機の双方の問題を解決することはできない。
【００５０】
そこで、画像形成システム１００では、上流機２０の転写部５及び下流機３０の転写部１５が下記の（Ａ）、（Ｂ）に示す条件を満たすように、異なる構成となっている。
【００５１】
（Ａ）同一環境温湿度下における上流機２０の転写ベルト５１の抵抗と下流機３０の転写ベルト１５１の抵抗を比較した場合に、以下の（式１）を満たす。
転写ベルト１５１の抵抗＜転写ベルト５１の抵抗・・・（式１）
具体的には、転写ベルト５１の体積抵抗率と転写ベルト１５１の体積抵抗率の差分が以下の（式２）を満たすように転写ベルト５１及び転写ベルト１５１が構成されている。
１．０ｌｏｇΩ・ｃｍ≦転写ベルト５１の体積抵抗率−転写ベルト１５１の体積抵抗率≦２．０ｌｏｇΩ・ｃｍ・・・（式２）
【００５２】
（Ｂ）上流機２０の転写ニップ長（ニップ部ＮＰの用紙搬送方向の長さ）と下流機３０の転写ニップ長を比較した場合に、以下の（式３）を満たす。
上流機２０の転写ニップ長＜下流機３０の転写ニップ長・・・（式３）
具体的には、上流機２０の転写ニップ長と下流機３０の転写ニップ長が以下の（式４）を満たすように構成されている。
上流機２０の転写ニップ長≦０．８×下流機３０の転写ニップ長・・・（式４）
本実施形態では、上流機２０の転写荷重≦０．８×下流機３０の転写荷重・・・（式５）
を満たすように転写荷重が設定されていることで、（式４）を満たす構成が実現されている。
【００５３】
このように、上流機２０に対しては、高抵抗の転写ベルト５１を設置するとともに、転写ニップ長を小さくしているので、転写電界の拡散を抑制し、高湿時の用紙と感光体ドラム１との分離不良を抑制することができる。また、下流機３０に対しては、低抵抗の転写ベルト１５１を設置するとともに、転写ニップ長を大きくすることで、転写電界のニップ近傍への集中を抑制し、低湿時の放電による画像ノイズや機内の信号ノイズを抑制することができる。
【００５４】
〔上流機２０と下流機３０との転写電圧制御の差異〕
また、一般的に、上流機の転写部は、定着部を通過していない用紙を通紙するため、先端に裁断バリのある用紙を使用すると、裁断バリの空隙部分に転写電荷が移り、感光体ドラムに用紙が巻き付いて分離不良が起きてしまう。そこで、上流機２０においては、用紙先端がニップ部ＮＰを通過する際には、転写時（感光体ドラム１のトナー像がニップ部ＮＰを通過して用紙に転写が行われる時）と逆極性（ここでは、負）の転写電圧を転写ローラー５２に印加する制御が行われる。
下流機の転写部は、定着部を通過した後の用紙を通紙するため、定着によってカールが大きくなる紙を用いると感光体ドラムに用紙が巻き付いて分離不良が起きてしまう。そこで、下流機３０においては、用紙先端のニップ部ＮＰの通過時には、転写時と同極性（ここでは、正）の転写電圧を転写ローラー１５２に印加して転写ベルト１５１の吸着力を高める制御が行われる。
【００５５】
以下、上流機２０と下流機３０のそれぞれにおける転写電圧制御処理について説明する。
【００５６】
図４は、上流機２０の制御部２１により実行される転写電圧制御処理を示すフローチャートである。
ジョブが開始されると、制御部２１は、電圧印加部５３により転写ローラー５２に負の転写電圧を印加する（ステップＳ１）。ここでは、トナーにより転写部５が汚れるのを防ぐため、トナーの帯電極性と同極性の転写電圧を印加している。
【００５７】
次いで、制御部２１は、感光体ドラム１のトナー像がニップ部ＮＰに到達したか否かを判断する（ステップＳ２）。
ここで、レジストローラー２３１の近傍には、レジストローラー２３１への用紙先端の到達を検知するためのレジストセンサーが設けられており、制御部２１は、レジストセンサーにより用紙先端が検知されてから所定時間Ｔ１が経過すると用紙先端がニップ部ＮＰへ到達したと判断し、レジストセンサーにより用紙先端が検知されてから所定時間Ｔ２が経過すると感光体ドラム１のトナー像がニップ部ＮＰに到達したと判断する（Ｔ１＜Ｔ２）。なお、下流機３０の制御部３１においても同様にして用紙先端のニップ部ＮＰへの到達及びトナー像のニップ部ＮＰの到達を判断する。
【００５８】
感光体ドラム１のトナー像がニップ部ＮＰに到達していないと判断した場合（ステップＳ２；ＮＯ）、制御部２１は、ステップＳ１に戻る。
感光体ドラム１のトナー像がニップ部ＮＰに到達したと判断した場合（ステップＳ２；ＹＥＳ）、制御部２１は、電圧印加部５３により転写ローラー５２に正の転写電圧を印加する（ステップＳ３）。
【００５９】
次いで、制御部２１は、転写が終了したか否かを判断する（ステップＳ４）。
ここで、制御部２１は、レジストセンサーにより用紙先端が検知されてから所定時間Ｔ３が経過すると、転写が終了したと判断する（Ｔ２＜Ｔ３）。なお、下流機３０の制御部３１についても同様にして転写の終了を判断する。
【００６０】
転写が終了していないと判断した場合（ステップＳ４；ＮＯ）、制御部２１は、ステップＳ３に戻る。
転写が終了したと判断した場合（ステップＳ４；ＹＥＳ）、制御部２１は、全ページの転写が終了したか否かを判断する（ステップＳ５）。
全ページの転写が終了していないと判断した場合（ステップＳ５；ＮＯ）、制御部２１は、ステップＳ１に戻る。
全ページの転写が終了したと判断した場合（ステップＳ５；ＹＥＳ）、制御部２１は、転写電圧制御処理を終了する。
【００６１】
図５は、下流機３０の制御部３１により実行される転写電圧制御処理を示すフローチャートである。
ジョブが開始されると、制御部３１は、電圧印加部１５３により転写ローラー１５２に負の転写電圧を印加する（ステップＳ１１）。ここでは、トナーにより転写部１５が汚れるのを防ぐため、トナーの帯電極性と同極性の転写電圧を印加している。
【００６２】
次いで、制御部３１は、用紙先端がニップ部ＮＰに到達する所定時間前となったか否かを判断する（ステップＳ１２）。
ここで、レジストローラー３３１の近傍には、レジストローラー３３１への用紙先端の到達を検知するためのレジストセンサーが設けられており、制御部３１は、レジストセンサーにより用紙先端が検知されてから所定時間Ｔ０が経過すると、用紙がニップ部ＮＰに到達する所定時間前となったと判断する（Ｔ０＜Ｔ１）。
【００６３】
用紙先端がニップ部ＮＰに到達する所定時間前となっていないと判断した場合（ステップＳ１２；ＮＯ）、制御部３１は、ステップＳ１１に戻る。
用紙先端がニップ部ＮＰに到達する所定時間前となったと判断した場合（ステップＳ１２；ＹＥＳ）、制御部３１は、電圧印加部１５３により正の転写電圧を転写ローラー１５２に印加する（ステップＳ１３）。
【００６４】
次いで、制御部３１は、転写が終了したか否かを判断する（ステップＳ１４）。
転写が終了していないと判断した場合（ステップＳ１４；ＮＯ）、制御部３１は、ステップＳ１３に戻る。
転写が終了したと判断した場合（ステップＳ１４；ＹＥＳ）、制御部３１は、全ページの転写が終了したか否かを判断する（ステップＳ１５）。
全ページの転写が終了していないと判断した場合（ステップＳ１５；ＮＯ）、制御部３１は、ステップＳ１１に戻る。
全ページの転写が終了したと判断した場合（ステップＳ１５；ＹＥＳ）、制御部３１は、転写電圧制御処理を終了する。
【００６５】
図６は、上記の転写電圧制御処理により上流機２０と下流機３０の転写ローラーに印加される電圧の時間変化を示す図である。
図６に示すように、上流機２０においては、用紙先端がニップ部ＮＰを通過するとき（Ｔ１）に転写ローラー５２に転写時と逆極性の負の転写電圧が印加される。したがって、用紙先端に裁断バリがあっても用紙に転写時の感光体ドラム１の帯電極性（負）と逆極性（正）の電荷が移行することがなくなるので、用紙が感光体ドラム１に巻き付くことを抑制することができ、優れた分離性能を得ることができる。また、図６に示すように、下流機３０においては、用紙先端がニップ部ＮＰを通過するとき（Ｔ１）に転写ローラー１５２に転写時と同極性の正の転写電圧が印加される。したがって、転写ベルト１５１と用紙の吸着力を高めることができるので、定着によってカールが大きくなる紙を用いても感光体ドラム１１に用紙が巻き付くことを抑止することができ、優れた分離性能を得ることができる。
【００６６】
なお、図４、図５に示す転写電圧制御処理は、少なくとも、コシがなく感光体ドラムに巻き付きやすい（分離不良が起きやすい）低坪量紙では、環境温湿度条件にかかわらず実施することが好ましい。例えば、制御部２１及び制御部３１は、ジョブ開始時等に、プリント設定データ等に基づいて、使用する用紙が予め定められた坪量（例えば、１００ｇｓｍ）以下の用紙であるか否かを判断し、予め定められた坪量以下の用紙である場合に、図４、図５に示す転写電圧制御処理を行うこととしてもよい。
【００６７】
〔検証実験〕
以下に、本発明の有効性を確認するために行った検証実験について説明する。
検証実験では、直列タンデム構成機であるBizhub_PRESS_2250P機を下記の通り改造した画像形成システムを用いた。
・各実施例、比較例の内容に応じて体積抵抗率の異なる転写ベルトを上流機と下流機それぞれに設置
・各実施例、比較例の内容に応じて上流機と下流機それぞれの転写ローラーの荷重を調整
・図４、５に示すように用紙先端部の転写電流極性を変えられるように転写電圧制御プログラムを変更
なお、用紙先端部の転写電流設定は以下のとおりである。
逆極性（負）：−２０μＡ、同極性（正）：＋２０μＡ
【００６８】
検証実験では、温度３０℃、相対湿度８０％（高湿環境）、及び温度１０℃、相対湿度２０％（低湿環境）において、５２ｇｓｍ（低坪量）の上質紙を用いて表Ｉに示す転写部構成条件で１０００プリント実施し、感光体と用紙の分離性及び放電ノイズの発生有無を評価した。
分離性は、感光体分離ジャム発生率により評価し、０％：◎、0.1〜0.2％：○、0.3〜1％：△、1％以上：×と評価した。表Ｉにおいては、上流機、下流機とも◎の場合は◎を、◎以外の場合は、◎以外となった方の画像形成装置の結果を示している。
放電ノイズは、画像ノイズの目視評価と信号ノイズ（レジストセンサー、ジャム検知センサー、濃度検知センサー等の誤検知）の発生有無により評価した。画像ノイズは、画像ノイズが全く見られない：◎、画像ノイズがほとんど見られない：○、普通：△、画像ノイズがはっきりわかる：×と評価し、センサーの誤検知がなかった場合には、画像ノイズの評価結果を放電ノイズの評価結果とし、センサーの誤検知があった場合は、画像ノイズの評価結果に拘わらず放電ノイズの評価結果を×とした。
なお、◎〜△は、製品として問題のないレベルである。
【００６９】
検証実験の結果は、表Ｉに示す通りである。
【表１】
2019152764.tif 000003
【００７０】
実施例１〜４、比較例１〜３は、高湿環境下での検証実験の結果である。
実施例１は、以下の転写部構成条件下での検証実験の結果である。
・上流機と下流機の転写ベルトの体積抵抗率の差が上記実施形態の（式２）を満たす
・上流機と下流機の転写ニップ長の関係が（式４）を満たす
・上流機において用紙先端に負（転写時と逆極性）の転写バイアスを印加
・下流機において用紙先端に正（転写時と同極性）の転写バイアスを印加
実施例１では、表Ｉに示すように、上流機及び下流機の分離性、放電ノイズとも優れた評価が得られた。
【００７１】
実施例２は、以下の転写部構成条件下での検証実験の結果である。
・上流機と下流機の転写ベルトの体積抵抗率の差が上記実施形態の（式２）を満たす
・上流機と下流機の転写ニップ長の関係は（式４）を満たしていない
・上流機において用紙先端に正（転写時と同極性）の転写バイアスを印加
・下流機において用紙先端に正（転写時と同極性）の転写バイアスを印加
実施例２では、上流機と下流機の転写ニップ長の関係が（式４）を満たしておらず、また、上流機において用紙先端に転写時と同極性の転写バイアスを印加したため、上流機の分離性が実施例１よりも少し低下しているが、良好なレベルである。
【００７２】
実施例３は、以下の転写部構成条件下での検証実験の結果である。
・上流機と下流機の転写ベルトの体積抵抗率の差が上記実施形態の（式２）を満たす
・上流機と下流機の転写ニップ長の関係が（式４）を満たす
・上流機において用紙先端に負（転写時と逆極性）の転写バイアスを印加
・下流機において用紙先端に負（転写時と逆極性）の転写バイアスを印加
実施例３では、下流機において用紙先端に負（転写時と逆極性）の転写バイアスを印加したため、下流機における分離性が実施例１よりも少し低下しているが、良好なレベルである。
【００７３】
実施例４は、以下の転写部構成条件下での検証実験の結果である。
・上流機と下流機の転写ベルトの体積抵抗率の差が上記実施形態の（式２）を満たしていない
・上流機と下流機の転写ニップ長の関係が（式４）を満たす
・上流機において用紙先端に正（転写時と同極性）の転写バイアスを印加
・下流機において用紙先端に正（転写時と同極性）の転写バイアスを印加
実施例４では、上流機と下流機の転写ベルトの体積抵抗率の差が上記実施形態の（式２）を満たしておらず、また、上流機において用紙先端に正（転写時と同極性）の転写バイアスを印加したため、実施例１、２に比べて上流機における分離性が低下しているが、問題のないレベルである。
【００７４】
比較例１は、以下の転写部構成条件下での検証実験の結果である。
・上流機と下流機の転写ベルトの体積抵抗率の差が上記実施形態の（式２）を満たしていない
・上流機と下流機の転写ニップ長の関係は（式４）を満たしていない
・上流機において用紙先端に正（転写時と同極性）の転写バイアスを印加
・下流機において用紙先端に正（転写時と同極性）の転写バイアスを印加
比較例１では、上流機と下流機の転写ベルトの体積抵抗率の差が上記実施形態の（式２）を満たしておらず、上流機と下流機の転写ニップ長の関係も（式４）を満たしていない。さらに、上流機において用紙先端に正（転写時と同極性）の転写バイアスが印加されている。そのため、上流機に問題となるレベルの分離不良が生じている。
【００７５】
比較例２は、以下の転写部構成条件下での検証実験の結果である。
・上流機と下流機の転写ベルトの体積抵抗率の差が上記実施形態の（式２）を満たしていない
・上流機と下流機の転写ニップ長の関係は（式４）を満たしていない
・上流機において用紙先端に正（転写時と同極性）の転写バイアスを印加
・下流機において用紙先端に正（転写時と同極性）の転写バイアスを印加
比較例２は、上流機と下流機の転写ベルトの体積抵抗率の差が比較例１と異なっている。比較例２では、比較例１よりも上流機と下流機の転写ベルトの体積抵抗率の差が（式２）の下限に近い値としたが、比較例１と同様に上流機に問題となるレベルの分離不良が生じている。この結果から、上流機と下流機の転写ベルトの体積抵抗率の差が（式２）の下限を下回ると上流機に問題となるレベルの分離不良が生じることがわかる。
【００７６】
比較例３は、以下の転写部構成条件下での検証実験の結果である。
・上流機と下流機の転写ベルトの体積抵抗率の差が上記実施形態の（式２）を満たしていない
・上流機と下流機の転写ニップ長の関係は（式４）を満たしていない
・上流機において用紙先端に正（転写時と同極性）の転写バイアスを印加
・下流機において用紙先端に正（転写時と同極性）の転写バイアスを印加
比較例３は、実施例４と転写ニップ長の値のみが異なる条件である。実施例４、比較例３とも、上流機と下流機の転写ベルトの体積抵抗率の差が上記実施形態の（式２）を満たしていないが、実施例４は上流機と下流機の転写ニップ長の関係が（式４）を満たしており、上流機の分離性は問題レベルとなっている。一方、比較例３では、上流機の転写ニップ長が（式４）の上限を上回っており、上流機に問題となるレベルの分離不良が起きている。この結果から、上流機と下流機の転写ベルトの体積抵抗率の差が上記実施形態の（式２）を満たさず、かつ上流機と下流機の転写ニップ長の関係が（式４）を満たさない場合は、上流機に問題となるレベルの分離不良が生じることがわかる。
【００７７】
上述の実施例１〜４、比較例１〜３の高湿環境下での検証実験では、上流機に対して下流機よりも高抵抗の転写ベルトを設置することで、高湿時における上流機における分離不良が低減され、優れた又は良好な分離性を得られることが確認できた。また、上流機の転写ニップ長を下流機の転写ニップ長より（式４）を満たすように小さくすることで、高湿時における上流機における分離不良が低減されることが確認できた。また、上流機において用紙先端に負（転写時と逆極性）の転写バイアスを印加することで、他の条件が同じ場合、用紙先端に正（転写時と同極性）の転写バイアスを印加した場合に比べて良好な分離性を得ることができることが確認できた。下流機においては、用紙先端に正（転写時と同極性）の転写バイアスを印加することで、他の条件が同じ場合、用紙先端に転写時と逆極性の転写バイアスを印加した場合に比べて分離不良を低減できることが確認できた。
【００７８】
実施例５〜８、比較例４〜６は、低湿境下での検証実験の結果である。
実施例５は、以下の転写部構成条件下での検証実験の結果である。
・上流機と下流機の転写ベルトの体積抵抗率の差が上記実施形態の（式２）を満たす
・上流機と下流機の転写ニップ長の関係が（式４）を満たす
・上流機において用紙先端に負（転写時と逆極性）の転写バイアスを印加
・下流機において用紙先端に正（転写時と同極性）の転写バイアスを印加
実施例５では、表Ｉに示すように、上流機及び下流機の分離性、放電ノイズとも優れた評価が得られた。
【００７９】
実施例６は、以下の転写部構成条件下での検証実験の結果である。
・上流機と下流機の転写ベルトの体積抵抗率の差が上記実施形態の（式２）を満たす
・上流機と下流機の転写ニップ長の関係は（式４）を満たしていない
・上流機において用紙先端に正（転写時と同極性）の転写バイアスを印加
・下流機において用紙先端に正（転写時と同極性）の転写バイアスを印加
実施例６では、上流機と下流機の転写ニップ長の関係が（式４）を満たしていないため、下流機の放電ノイズの評価が実施例５よりも少し低下しているが、良好なレベルである。
【００８０】
実施例７は、以下の転写部構成条件下での検証実験の結果である。
・上流機と下流機の転写ベルトの体積抵抗率の差が上記実施形態の（式２）を満たしていない
・上流機と下流機の転写ニップ長の関係が（式４）を満たす
・上流機において用紙先端に正（転写時と同極性）の転写バイアスを印加
・下流機において用紙先端に正（転写時と同極性）の転写バイアスを印加
実施例７では、上流機と下流機の転写ベルトの体積抵抗率の差が上記実施形態の（式２）を満たしていないため、実施例５、６に比べて下流機における放電ノイズの抑制力が低下しているが、問題のないレベルである。
【００８１】
実施例８は、以下の転写部構成条件下での検証実験の結果である。
・上流機と下流機の転写ベルトの体積抵抗率の差が上記実施形態の（式２）を満たす
・上流機と下流機の転写ニップ長の関係が（式４）を満たす
・上流機において用紙先端に負（転写時と逆極性）の転写バイアスを印加
・下流機において用紙先端に正（転写時と同極性）の転写バイアスを印加
実施例８では、実施例５と同様に、（式２）、（式４）の条件を満たしているが、上流機と下流機の転写ベルトの体積抵抗率の差が（式２）の上限値であるため、上流機での放電ノイズの抑制力が実施例５よりも少し低下しているが、良好なレベルである。
【００８２】
比較例４、５は、以下の転写部構成条件下での検証実験の結果である。
・上流機と下流機の転写ベルトの体積抵抗率の差が上記実施形態の（式２）を満たしていない
・上流機と下流機の転写ニップ長の関係は（式４）を満たしていない
・上流機において用紙先端に正（転写時と同極性）の転写バイアスを印加
・下流機において用紙先端に正（転写時と同極性）の転写バイアスを印加
比較例４、５では、上流機と下流機の転写ベルトの体積抵抗率の差が上記実施形態の（式２）を満たしておらず、上流機と下流機の転写ニップ長の関係も（式４）を満たしていない。その結果、下流機で問題となるレベルの放電ノイズが発生している。
【００８３】
比較例６は、以下の転写部構成条件下での検証実験の結果である。
・上流機と下流機の転写ベルトの体積抵抗率の差が上記実施形態の（式２）を満たしていない
・上流機と下流機の転写ニップ長の関係が（式４）を満たす
・上流機において用紙先端に負（転写時と逆極性）の転写バイアスを印加
・下流機において用紙先端に正（転写時と同極性）の転写バイアスを印加
比較例６では、上流機と下流機の転写ベルトの体積抵抗率の差が上記実施形態の（式２）を満たしておらず（上限値を超えている）、上流機で問題となるレベルの放電ノイズが発生している。（式２）の上限を超えた場合、上流機の体積抵抗率が高くなりすぎてしまうため、上流機に問題となるレベルの放電ノイズが発生したと考えられる。
【００８４】
上述の実施例５〜８、比較例４〜６の低湿環境下での検証実験では、下流機に対して上流機よりも低抵抗の転写ベルトを設置することで、低湿時の下流機における放電ノイズの発生が低減されることが確認できた。また、下流機の転写ニップ長を上流機の転写ニップ長より（式４）を満たすように大きくすることで、低湿時における下流機における放電ノイズの発生が低減されることが確認できた。また、上流機と下流機の転写ベルトの体積抵抗率の差が（式２）の上限値を超えた場合、上流機において問題となるレベルの放電ノイズが発生することが確認できた。
【００８５】
以上、本発明の実施形態について説明したが、上述の実施形態は本発明の好適な一例であり、これに限定されない。
また、画像形成システムを構成する各装置の細部構成及び細部動作に関しても、本発明の趣旨を逸脱することのない範囲で適宜変更可能である。
【符号の説明】
【００８６】
１００  画像形成システム
２０  上流機
２１  制御部
２４  画像形成部
１  感光体ドラム
５  転写部
５１  転写ベルト
５２  転写ローラー
５３  電圧印加部
２３１  レジストローラー
２３２  反転部
２５  定着部
３０  下流機
３１  制御部
３４  画像形成部
１１  感光体ドラム
１５  転写部
１５１  転写ベルト
１５２  転写ローラー
１５３  電圧印加部
３３１  レジストローラー
３３２  反転部
３５  定着部
【図１】
2019152764.tif 000004
【図２】
2019152764.tif 000005
【図３】
2019152764.tif 000006
【図４】
2019152764.tif 000007
【図５】
2019152764.tif 000008
【図６】
2019152764.tif 000009